(57)【特許請求の範囲】
【請求項１】
ベース面に設けられた測定対象部の間隔を測定する間隔測定装置において、
前記ベース面に沿う方向に延びると共に測定時に前記ベース面に宛がわれる当て部を有する基準アームと、
前記測定対象部の間隔を測定する一対の測定子とを備え、
前記当て部に、前記ベース面側へ突出する突起部を設け、
測定時に、前記当て部の両端が前記ベース面から離間し前記突起部のみが前記ベース面に当接することで、前記ベース面に対して不安定な状態となることを特徴とする間隔測定装置。
【請求項２】
前記突起部は、半球状であることを特徴とする請求項１記載の間隔測定装置。
【請求項３】
前記突起部は、前記当て部にあって前記測定対象部のほぼ中央部に配置されていることを特徴とする請求項１または２記載の間隔測定装置。
【発明の詳細な説明】
【技術分野】
【０００１】
本発明は、測定対象部の間隔を測定する間隔測定装置に関する。
【背景技術】
【０００２】
従来より、測定対象部の間隔を測定する間隔測定装置としては、例えば、測定対象部としてパチンコ遊技機の盤面に設けられ、隣り合った２本の釘間の間隔を測定する遊技機用釘測定装置があり、遊技店においては、この遊技機用釘測定装置を用いて釘間隔を測定し、遊技機の釘調整を行っている。
【０００３】
さて、遊技機の盤面に設けられた釘間の間隔（特には、所謂「命釘（始動入賞口上方部に設けられた２本の釘間の間隔）」）の調整度合いは、出玉率に直接影響するため、運用レベルとしては１００分の１ｍｍ単位まで把握する必要があり、精度の高い測定値が要求される。精度の高い測定値を測定するためには、遊技機用釘測定装置が水平な状態およびパチンコ遊技機の盤面に沿っている状態で測定しなければならない。
そこで、図６（ａ）に示すように、遊技機用釘測定装置として、盤面１０１の隣り合った２本の釘１０２，１０２に内側から当接する一対の測定子１０３，１０３と、一方の測定子１０３を他方の測定子１０３に対して近接させたり離間させたりする操作レバー（図示しない）と、先端部に当て部１０４ａを有するＬ字形の基準アーム１０４と、水平調節するための水準器（図示しない）を含んで構成された遊技機用釘測定装置１００が提案されている（特許文献１参照）。
【０００４】
この遊技機用釘測定装置１００において使用者は、操作レバーを測定子１０３，１０３が近接するように操作し、盤面１０１に基準アーム１０４の当て部１０４ａ全体を当接させた状態で、操作レバーを測定子１０３，１０３が離間するように操作して測定子１０３，１０３をそれぞれの釘１０２，１０２の内側に当接させ、さらに、水準器で水平を合わせ、以って、２本の釘１０２，１０２間の間隔を測定する。
上記遊技機用釘測定装置１００においては、水準器を参照して水平を調節することは可能であるが、盤面１０１に対して沿っているか否かを判断することは水準器を参照して調節することはできない。そこで、基準アーム１０４の当て部１０４ａを平らにすることで、基準アーム１０４の当て部１０４ａ全体が盤面１０１と接しているか否かを判断基準として、盤面１０１に沿っているか否かを判断していた。
【特許文献１】特開２００３−２９９７８８号公報
【発明の開示】
【発明が解決しようとする課題】
【０００５】
このように従来では、基準アーム１０４の当て部１０４ａ全体が盤面１０１と接しているか否かを判断基準として、盤面１０１に対して沿っているか否かを判断していた。しかしながら、このような判断方法では、使用者は、基準アーム１０４の当て部１０４ａ全体が盤面１０１に接しているのか、基準アーム１０４の当て部１０４ａの一端のみが接しているのかを感覚として分かり難く、図６（ｂ）に示すように、基準アーム１０４の当て部１０４ａの一端が盤面１０１に接して他端が離間して傾いた状態であるのにも関わらず基準アーム１０４の当て部１０４ａ全体が盤面１０１に接していると誤認して釘間隔を測定してしまう虞があった。
【０００６】
本発明は上記事情に鑑みてなされたもので、その目的は、使用者にベース面に対して傾いているか否かの許容範囲を明確化し、その判断を容易なものとすることで、精度の高い状態で測定値を導き出すことができる間隔測定装置を提供するにある。
【課題を解決するための手段】
【０００７】
請求項１記載の発明は、ベース面に設けられた測定対象部の間隔を測定する間隔測定装置において、前記ベース面に沿う方向に延びると共に測定時に前記ベース面に宛がわれる当て部を有する基準アームと、前記測定対象部の間隔を測定する一対の測定子とを備え、前記当て部に、前記ベース面側へ突出する突起部を設け、測定時に、前記当て部の両端が前記ベース面から離間し前記突起部のみが前記ベース面に当接することで、前記ベース面に対して不安定な状態となることを特徴とする。
【０００８】
請求項２記載の発明は、前記突起部は、半球状であることを特徴とする。
請求項３記載の発明は、前記突起部は、前記当て部にあって前記測定対象部のほぼ中央部に配置されていることを特徴とする。
【発明の効果】
【０００９】
請求項１記載の発明によれば、ベース面と基準アームの当て部とが傾いていないとする許容範囲にある場合には、基準アームの当て部は、突起部のみがベース面に接して不安定な状態になる一方、突起部と基準アームの当て部の一端とがベース面に接する場合には、許容範囲にあるときよりも安定するので、ベース面と基準アームの当て部とが傾いていないとする許容範囲であるか否かの判断が容易になる。また、不安定な状態を積極的に発生させることにより、使用者にどの位置がより適切となるかの注意を促すことが可能となり、精度の高い状態で測定値を導き出すことができる。
【００１０】
請求項２記載の発明によれば、測定時にベース面と突起部との接する部分が少なくなり不安程度が増すことで、より注意を促すことができる。
請求項３記載の発明によれば、ベース面に対して傾いているか否かをより高い精度で判断することができる。
【発明を実施するための最良の形態】
【００１１】
以下本発明の一実施例につき図面を参照して説明する。
図１は、間隔測定装置の斜視図を示しており、この図１において、間隔測定装置の本体１は、片手で持ち運ぶことが可能な大きさに設定されている。この本体１には、図１における左側にカバーで覆われた機構部収納部２が設けられ、右側にゴムにより覆われた把持部３が設けられている。
前記機構部収納部２には、図２及び図３にも示すように、それぞれ金属製の基準アーム４と、一対の測定子５，とが前方へ突出するように設けられている。このうち基準アーム４は、前方へ向けて突出する突出部４ａと、この突出部４ａの先端部に上方へ向けられ且つその突出部４ａと直交する方向に延びる当て部４ｂとを一体に有していて、前記機構部収納部２に固定状態に設けられている。前記当て部４ｂのほぼ中央部には、半球状をなす突起部７が設けられている。
【００１２】
また、前記一対の測定子５，６のうち、一方の測定子５は、前方へ突出して基準アーム４の突出部４ａに上方から重なるように設けられた突出部５ａと、この突出部５ａの先端部に上方へ向けて折曲された測定部５ｂとを一体に有していて、機構部収納部２に固定状態に設けられている。測定子５の機構部収納部２からの突出量は、基準アーム４より短く設定されていて、従って、測定部５ｂは当て部４ｂよりも機構部収納部２側に配置されている。
他方の測定子６は、一方の測定子５の横に配置されて前方へ向けて突出する突出部６ａと、この突出部６ａの先端部に上方に向けて折曲された測定部６ｂとを一体に有していて、前記一方の測定子５に対して近接及び離間する方向に移動可能に設けられている。前記測定部６ｂは、当て部４ｂよりも機構部収納部２側で且つ測定部５ｂの真横になるように位置されている。
【００１３】
前記機構部収納部２の下部の把持部３側には、操作レバー８が設けられている。この操作レバー８は、機構部収納部２内部にて測定子６と連結されると共に弾性体として例えばばねにより把持部３から遠ざかる方向に付勢されており、操作レバー８が押圧操作されることにより、測定子６が測定子５に近接し、押圧が解除されることにより、測定子６が測定子５から離間する。
【００１４】
また、機構部収納部２には、本体１の地面に対する水平状態を設定するための水準器９が設けられると共に、測定子５，６間の間隔をデジタル表示するデジタルメータ１０が設けられている。このデジタルメータ１０には、電源スイッチ１０ａと、ゼロスイッチ１０ｂが設けられている。尚、このデジタルメータ１０は、電源がオンされている状態においては、常に現在の測定子５，６の測定部５ｂ，６ｂ間の間隔をデジタル表示している。
【００１５】
以下本発明の作用・効果について説明する。
まず、使用者は、片手で把持部３を握り、例えば人差指或いは中指で操作レバー８を操作することになる。使用者が操作レバー８を操作していない非測定状態では、操作レバー８は把持部３から遠ざかる側に位置され、図２に示すように、それぞれの測定子５，６が離間した側に位置されている。
【００１６】
測定対象部として例えばパチンコ遊技機の２本の釘間の間隔を測定する前に、使用者は、デジタルメータ１０の電源スイッチ１０ａを押圧することにより、デジタルメータ１０の電源をオンさせる。そして、使用者は、把持部３を片手で持ち、例えば人差指或いは中指で操作レバー８を把持部３側（弾性体による付勢に対抗する側）に押圧操作することにより、測定子５，６を近接させる。この状態で、使用者は、測定子５，６の測定部５ｂ，６ｂ間の間隔を基準間隔に設定するためのゲージ（図示せず）を、測定子５，６の測定部５ｂ，６ｂ間に挿入して、操作レバー８の押圧操作を解除する。そして、ゼロスイッチ１０ｂを押圧操作することによって、基準間隔を設定する。この基準間隔とは、所望の間隔（例えば１０ｍｍ）に設定されたゲージを基準として設定されたゼロ基準値を示し、そのゼロ基準値に対して測定対象の２本の釘間がどれだけ偏差しているかを数値化するために用いられる目安である。
【００１７】
続いて、パチンコ遊技機の２本の釘間の間隔を測定する場合を図４及び図５を参照しながら説明する。
使用者は、例えば人差指或いは中指で操作レバー８を把持部３側に押圧操作することにより、測定子５，６を近接させる。使用者は、この状態で、基準アーム４の当て部４ｂをパチンコ遊技機に設けられた命釘間（所謂始動入賞口の上部に位置する２本の釘１１，１１）周辺の盤面（ベース面に相当）１２に宛がうと共に当て部４ｂの左右両端部の下縁部が釘１１，１１の上部に接するように宛がう。そして、使用者は、操作レバー８の押圧を解除して、それぞれの釘１１，１１間の内側に測定子５，６の測定部５ｂ，６ｂを接触させると共に本体１を水準器９により水平状態になるように設定する。さらに、使用者は、基準アーム４の当て部４ｂの両端が盤面１２から離間し、突起部７のみが盤面１２に当接している状態とし（このとき、当て部４ｂに設けられた突起部７は、釘１１，１１間のほぼ中央部に配置される）、デジタルメータ１０に表示されている測定値を確認する。尚、基準アーム４は、測定子５，６の測定部５ｂ，６ｂに対して所定の長さ突出して設けられているので、盤面１２から測定子５，６の測定部５ｂ，６ｂが常に一定の距離になるように保持され、釘１１，１１間の所望位置の間隔を測定することができる。
【００１８】
このようして、基準アーム４の当て部４ｂの両端が盤面から離間し突起部７のみが盤面１２に当接している状態が、盤面１２に対して傾いているか否かを判定する許容範囲として設定されている。この許容範囲にあるときは、突起部７のみが当接し基準アーム４の当て部４ｂの両端が離間しているため、盤面１２に対して不安定な状態となる。さらに、この許容範囲から外れたときは、突起部７と基準アーム４の一端とが盤面１２に当接することになるため、許容範囲にあるときと比べて、安定した状態となる。従って、使用者は、本体１が安定した状態か不安定な状態かに基づいて、盤面１２に対して傾いているか否かの許容範囲を容易に判断することができる。また、不安定となる状態を積極的に発生させることによって、使用者に対してどの位置が適切となるかについての注意を促すことができ、使用者は注意して釘１１，１１間を測定するようになる。
【００１９】
また、半球状に形成された突起部７が当て部４ｂに設けられているので、突起部７のみが盤面１２と当接する場合、当接する部分が少なく、不安定度合いを増加させることができる。従って、使用者に対してどの位置が適切となるかについてより注意を促すことができる。
さらに、使用者による釘１１，１１間の測定時において、突起部７が釘１１，１１間のほぼ中央部に配置されるように当て部４ｂに設けられているので、盤面１２に対して、傾いているか否かをより高い精度で判断することができる。
【００２０】
（その他の実施例）
本発明は上記した実施例にのみ限定されるものではなく、次のように変形または拡張できる。
表示手段は、デジタルメータ１０に代えて、アナログメータであってもよい。
突起部７は、半球状で形成したが、円錐状、三角錐状、四角錐状等であってもよい。
【００２１】
盤面（ベース面に相当）１２に設けられた釘（測定対象部に相当）１１，１１間の間隔を測定したが、基準となるベース面がある対象部同士の間隔であればどんなものを測定してもよい。例えば、測定対象物として板面（ベース面に相当）に設けられた孔の孔径を測定することもでき、その場合は、当て部は板面に宛がわれる側に形成され、且つ、突起部もその当て部に設けられることになる。
【図面の簡単な説明】
【００２２】
【図１】本発明の一実施例を示す前方下側から見た斜視図
【図２】本体の上面図
【図３】本体の左側面図
【図４】測定状態を示す上面図
【図５】測定状態を示す側面図
【図６】従来例を示すもので、（ａ）は正しい測定状態での上面図、（ｂ）は傾いた状態での上面図
【符号の説明】
【００２３】
図面中、１は本体、３は把持部、４は基準アーム、４ｂは当て部、５，６は測定子、５ｂ，６ｂは測定部、７は突起部、８は操作レバー、９は水準器、１０はデジタルメータ、１０ａは電源スイッチ、１１は釘（測定対象部）、１２は盤面（ベース面）を示す。
【要約】
【課題】  使用者にベース面に対して傾いているか否かの許容範囲を明確化し、その判断を容易なものとすることで、精度の高い状態で測定値を導き出すことができる間隔測定装置を提供する。
【解決手段】  例えば盤面１２に設けられた釘１１，１１の間隔を測定する間隔測定装置は、盤面１２に宛がわれる当て部４ｂを有する基準アーム４と、釘１１，１１の間隔を測定する一対の測定子５，６と、当て部４ｂに盤面１２側に突出し測定時に盤面１２と当接する突起部７とを有する。釘１１，１１間の測定時において、基準アーム４の当て部４ｂの両端が盤面から離間し突起部７のみが盤面１２に当接している不安定な状態が、盤面１２に対して傾いているか否かを判定する許容範囲として設定され、使用者は、突起部７と当て部４ｂの一端が当接した安定した状態か不安定な状態かに基づいて、盤面１２に対して傾いているか否かの許容範囲を容易に判断することができる。
【選択図】  図４
【図１】
0003715641.tif 000002
【図２】
0003715641.tif 000003
【図３】
0003715641.tif 000004
【図４】
0003715641.tif 000005
【図５】
0003715641.tif 000006
【図６】
0003715641.tif 000007